(57)【要約】【課題】  反りのある用紙の束であっても、反りを延ばし用紙束の先端を容易に揃えることができ、重送や空送りの生じない給紙装置の提供。【解決手段】  給紙板21の上方にあって前方へ行くにつれて高さが低くなっていく反り抑えガイド２を設けるとともに、給紙板21の先方に用紙束の先端が当接する当接板17を有する先端揃え部材１を用紙抑え用のコロ20と連動して当接板17が、用紙束が当接する位置にあるときはコロ20は用紙束から離れて上方へ退避し、コロ20が用紙束上面に乗る位置では当接板17が当接位置から退避するようにし、用紙に反りがあっても給紙板21上に載せた状態で先端を揃えて、捌きを入れ給紙することができるようにする。【選択図】        図１
2006008341.tif 000002
【特許請求の範囲】
【請求項１】
用紙束を積載するための給紙板と、積載された用紙束の進行方向に向って左右両側縁をガイドするためのサイドガイドと、給紙板前方寄りにあって給紙方向と直交する方向の回転軸に回転自由に軸支され給紙板上面への当接と上方への退避移動が可能なコロと、給紙ローラと捌き板を有する給紙装置において、下記各手段を具備することを特徴とする給紙装置。
（イ）  前記コロより進行方向前方にあって、給紙板上を進行して来た用紙束の先端を当接させ先端縁を揃える部材であって退避可能に設けられた先端揃え部材
（ロ）  給紙板の用紙束載置面より上にあって、抑え板の、載置面からの高さが給紙方向前方へ進むにつれて低くなっている用紙反り抑制ガイド
（ハ）  コロの上方への退避移動と先端揃え部材の用紙当接位置までの移動およびコロの降下移動と先端揃え部材の退避移動をそれぞれ連動させる連動機構
（ニ）  連動機構を操作する操作手段
【請求項２】
操作手段がサイドガイドの後方に設けられていることを特徴とする請求項１記載の給紙装置。
【発明の詳細な説明】
【技術分野】
【０００１】
本発明は、給紙板上に積載された用紙束から、紙折機、複写機或いは印刷機等の後続機へ紙を１枚ずつ送給するための給紙装置の技術分野に属する。
【背景技術】
【０００２】
従来の給紙装置は、用紙束を積載する給紙台があり、給紙台の、用紙進行方向に向って左右に、用紙の左右両側縁をガイドするサイドガイドが設けられており、この左右ガイドの前方寄り上部に、給紙方向と直交する方向の回動軸に軸支され回動可能のアームが設けられており、このアームの先端に前記回動軸と同じ方向の回転軸で軸支されたコロが設けられている。
【０００３】
そしてこのコロは、給紙台上に載置された用紙束の上面に自重で接し、用紙束の前方左右を自重で抑えるようになっている。アームが回動自在であるので、用紙束の厚さが変わっても同様に自重で用紙束の上に乗っている形となる。用紙束を最初に載置するときは、用紙束を人手で持ち上げて左右の両側縁および前端縁を、給紙板の板面に数回当接させるなどして揃えてから左右両側縁がサイドガイドでガイドされるようにして給紙板上に載置する。
【０００４】
次に、用紙束を後方から押し入れて行くと用紙束が左右のアームの下に入り、これを持ち上げるようになるので、更に押し進めるとコロが回転しながら用紙束の上に乗り上る形となる。即ち、用紙束がコロの下へもぐり込んで行く。そして、最後の手順として、給紙ローラで紙を持って行く際に重送や空送りなどのミスフィードが生じないようにするため、最上紙の先端縁が他の紙より先行して給紙ローラにくわえられるように、上方の用紙ほど先端縁が前方に位置するように用紙束の先端面を斜めにずらす捌き作業を行う。
【０００５】
給紙動作が開始されると、給紙板前端上部に設けられた補助給紙ローラと、これとプーリおよびタイミングベルトで連結された給紙ローラが回転し、給紙板上の用紙束から用紙１枚ずつを送給する（例えば特許文献１参照）。
【特許文献１】登録実用新案第３０００５８１号公報（図２）
【発明の開示】
【発明が解決しようとする課題】
【０００６】
上記従来装置へ用紙束を積載する場合、用紙に反りが無い場合には、用紙束の先端を揃える作業および、その後給紙台へ載置して用紙束をコロの下へ押し入れる作業は特に問題はないが、用紙が反っている（カールがある）場合、特に用紙の先端の方が上に上がる上反り（上向きカール）の場合には、給紙板上で用紙束を後方から押し入れて行っても、先端がコロの下へもぐり込まずに乗り上げてしまうことがあり、このような場合には用紙束を一旦引き出して、カールを修正したうえで積載し直しをしなければならないという問題を生ずる。
【０００７】
また用紙がカールしている場合には、用紙束の先端を揃えようとしても揃えにくく、よく揃わない場合が生じる。そのような状態で捌き作業を行っても用紙束の先端面はきれいな斜めにはならない。カールがある場合には、捌き作業自体がスムーズに行きにくいから一層のことである。このようなことは、特に用紙が複写図面である場合に発生し易い。
【０００８】
従来、図面などの大判用紙では青焼きと呼ばれるジアゾコピー機による複写が一般的であり、ジアゾコピーで複写された用紙では、カールなど殆ど無い良好な状態で出て来るので、複写図面を複数枚重ねた用紙束の端縁を手作業で揃えることは容易であった。
【０００９】
しかしながら、近年では大型ＰＰＣ複写機の導入が進んでおり、このＰＰＣ複写機による場合、用紙が定着部で高温加熱され、急激に冷却される工程を経ることにより、複写された用紙が反り（カール）をもって排出されてくる。
【００１０】
特に図面の場合には大型用紙の場合が多く、カールした大型用紙は一層先端を揃えにくく、従ってまた、捌いた後も先端面がきれいな斜めにならず重送や空送りが生じ易くなるという問題がある。
【００１１】
本発明が解決しようとする課題は、上記従来技術に鑑みて、カールのある用紙束であっても、給紙板への載置時に、コロの上に乗り上がったりすることがなく、また、用紙束の先端面を容易に揃えることができ重送や空送りの生じない給紙装置を提供することである。
【課題を解決するための手段】
【００１２】
上記の課題を解決するために、本発明の給紙装置は下記の各構成を有する。
本発明第１の構成は、用紙束を積載するための給紙板と、積載された用紙束の進行方向に向って左右両側縁をガイドするためのサイドガイドと、給紙板前方寄りにあって給紙方向と直交する方向の回転軸に回転自由に軸支され給紙板上面への当接と上方への退避移動が可能なコロと、給紙ローラと捌き板を有する給紙装置において、下記各手段を具備することを特徴とする給紙装置である。
（イ）  前記コロより進行方向前方にあって、給紙板上を進行して来た用紙束の先端を当接させ先端縁を揃える部材であって退避可能に設けられた先端揃え部材
（ロ）  給紙板の用紙束載置面より上にあって、抑え板の、載置面からの高さが給紙方向前方へ進むにつれて低くなっている用紙反り抑制ガイド
（ハ）  コロの上方への退避移動と先端揃え部材の用紙当接位置までの移動およびコロの降下移動と先端揃え部材の退避移動をそれぞれ連動させる連動機構
（ニ）  連動機構を操作する操作手段
【００１３】
本発明第２の構成は、前記第１の構成において、操作手段がサイドガイドの後方に設けられていることを特徴とする給紙装置である。
【発明の効果】
【００１４】
以上のように、本発明の給紙装置は、まず、用紙反り抑制ガイドを有しているので、反りのある用紙束を給紙板の後方から載置して前方へ押して行くと最初は抑制ガイド板が高いから反りのある用紙束も入って行くが、前へ進むにつれて抑制ガイド板が低くなっていくので反りが抑えられて平に近づくことになる。
【００１５】
更に給紙板の前方には用紙束の先端が当接して停止する先端揃え部材があり、また、用紙束の先端近くを上から押さえるコロがあり、先端揃え部材とコロは連動機構により、先端揃え部材が用紙束先端の当接位置にあるときにはコロは用紙束から離れて上方へ退避し、先端揃え部材が当接位置から退避したときには、コロが用紙束の上に乗るように連動している。そして、操作手段を操作することによりいずれかの状態を選択できるようになっている。
【００１６】
用紙束を給紙板に載置するときには操作手段により、先端揃え部材を当接位置にし、コロを上へ退避させた状態にすると、用紙束に反りがあっても用紙束を前方へ進行させることにより、用紙反り抑制ガイドによって反りが漸次抑えられてその先端が先端揃え部材に当接することになる。１度の当接で先端が揃わない場合には用紙束を若干引き戻して再度押し込むことを繰り返すことにより容易に先端が揃うことになる。
【００１７】
先端が揃ったならば給紙板の後方で、用紙束の後端を持って若干引き戻して捌きを行い、上層の用紙程前方へ出るようにすることにより最上層の用紙が最も前へ出、最下層の用紙が最も後方になり、用紙束の先端面が前傾傾斜になるようにする。
【００１８】
この後操作手段の操作により、先端揃え部材を退避させコロを用紙束上に下ろした状態で給紙態勢に入る。
これにより、給紙ローラは常に最上層の用紙を取り込んで給紙するので、重送や空送りが生じなくなるという効果が生ずる。
【発明を実施するための最良の形態】
【００１９】
本発明の実施の最良の形態としては、以下のような形態が考えられる。
まず、用紙反り抑制ガイドは、給紙板の全幅にかかるように設ける必要はなく、左右のサイドガイドから所定寸法だけ中央へ向って張り出す形態のもので、反りのある用紙束の左右寄り部分を抑えるようにするのが装置の簡素軽量化の点から見て最良である。
【００２０】
同様に、先端揃え部材も、用紙束の全幅にかかるように設ける必要はなく、左右のサイドガイドから所定寸法だけ中央へ向って張り出す形態のものが最良である。
また、先端揃え部材の退避方向は、上方、下方の２通りが考えられるが、可動占有スペースの点から見てコロ同様上方へ退避させるようにするのが最良である。
【実施例】
【００２１】
次に本発明の実施例を図面を参照して説明する。
図１は、本発明給紙装置の実施例の側面図および一部上面図である。図２は、全体上面図である。但し、給紙ローラ１５および補助給紙ローラ１６は省略されている。
用紙束は通常、前方に向って左右のサイドガイド７，７の間で前方に寄せられ、用紙束の先端部左右にコロ２０が乗るように載置される。サイドガイド７，７は用紙の幅に合わせて幅調整が可能なようになっている。
その状態から、補助給紙ローラ１６および給紙ローラ１５によって用紙束の最上層から１枚ずつ引き出されて給紙される。
【００２２】
本装置においては、左右のサイドガイドの後方に操作レバー９が、レバー回動軸１０を中心に回動可能なように設けられている。後方に設けられているのは後方に立った操作者が操作し易いからである。操作レバー９には連結桿８の一端が連結され、他端はカム６に連結されている操作レバー９を前方（図では左方）へ倒したり後方（図では右方）へ引いたりすることによりカム６はカム軸５を中心にして回動する。
【００２３】
このカム６は、コロアーム回動軸３を中心に回動可能のコロアーム４の後端に設けられているカム受け１４に当接している。コロアーム４の前端の方にはコロ２０が設けられている。従って、コロ２０は操作レバー９を操作することにより、図１の（ａ）の位置から（ｂ）のように上へ上げたり、また（ａ）の位置に戻したりすることができる。即ち、操作レバー９を（ａ）のように前方へ倒したときにはコロは給紙板２１に接する位置まで下っている。
【００２４】
これに対して、操作レバー９を後方へ引くとカム６は右回わりに回動してカム受け１４を押し下げる。そうすると、カム受け１４の設けられているコロアーム４は、コロアーム回動軸３を中心にして右回りに回動するため前方（図では左方）へ伸びている先端に設けられているコロ２０が上へ上がることになる。この状態を示しているのが（ｂ）である。操作レバー９を前に倒すと（ａ）の状態に戻る。
【００２５】
本装置では、上下移動の可能なコロ２０と連動して上下移動する先端揃え部材１が設けられている。先端揃え部材１は、固定板１１に設けられた揃え部材回動軸１３で回動可能に軸支されている。そして前方端部には、用紙束の先端を揃えるための当接板１７が設けられており、揃え部材回動軸１３を挟む後方端部は連結軸１２でコロアーム４の途中に回動自在に連結されている。従って、コロアーム４が、コロ２０を上げる方向に動くと連結軸１２も上るから、先端揃え部材１は揃え部材回動軸１３を中心にして当接板１７が下がる方向に動くことになる。
逆に、コロ２０が下がる方向にコロアーム４が動くと連結軸１２も下がるので、揃え部材回動軸１３を回動中心として当接板１７は上がる方向に動くことになる。
【００２６】
以上のような連動機構により、コロ２０が下がったときは当接板１７は上がり、コロ２０が上がったときは当接板１７は下がるということになる。
コロ２０が下がった位置とは、図１の（ａ）のように、コロ２０が給紙板或いは用紙束の上面に当接する位置であり、当接板１７が下がった位置とは、図１の（ｂ）のように給紙板２１上の用紙束が前方（図では左方）へ進んだときにその先端が当接して行き止まりになる位置である。
【００２７】
このようにして、操作レバー９を図１の（ａ）のように前方（図では左方）へ倒したときは、コロ２０が下がるとともに当接板１７が上がり、操作レバー９を図１の（ｂ）のように後方（図では右方）へ引いたときは、コロ２０が上がるとともに当接板１７が下がる。図１の（ｃ）は（ｂ）の上面図である。但し、補助給紙ローラ１６、搬送ガイド１９、捌き板１８、給紙ローラ１５は省略されている。
【００２８】
以上の構成および機能の給紙装置において、用紙束を載置するには、まず、操作レバー９を後方（図では右方）へ引いて図１の（ｂ）の状態にする。
即ち、コロ２０は上方へ退避させ、当接板１７を用紙束の当接位置へ下げる。この状態で用紙束を給紙板２１の上に載せ先端が当接板１７に当接するように前方（図では左方）へ押しやる。
【００２９】
このとき用紙束は反り抑えガイド２の下をくぐって行くので、入れる前の用紙に反りがあったとしても反りが延ばされる。こうして、用紙束の先端を当接板１７に当接させることで先端を揃えることができる。
１度の当接で先端が揃わない場合には、用紙束を若干引き戻して再度押し込むことを繰り返すことにより容易に先端が揃うことになる。
【００３０】
先端が揃ったならば、その状態で後方から用紙束の後端部を持って若干引き戻し、上層の用紙程前方へ出るように捌きを行う。これにより用紙束の先端は、最上層の用紙が最も前へ出、最下層の用紙が最も後方になり、全体として先端面が前傾傾斜面となる。その後操作レバー９を前方へ倒して当接板１７を上方へ退避させるとともに、コロ２０を用紙束の上に降ろし、給紙態勢に入る。
【００３１】
このような状態にすることにより、補助給紙ローラ１６、給紙ローラ１５は常に最上層の用紙のみを１枚ずつ取り込んで給紙することになり、重送や空送りが生じないことになる。以上のように反りのある用紙でも給紙板上に載せた状態で、自動的に反りを伸ばし、そのうえ先端が揃うので、捌きも行い易くなり、重送や空送りがなくなる。
【図面の簡単な説明】
【００３２】
【図１】本発明給紙装置の実施例の側面図および一部上面図である。
【図２】図１の実施例装置の、給紙ローラおよび搬送ガイドを除いた全体上面図である。
【符号の説明】
【００３３】
１  先端揃え部材
２  反り抑えガイド
３  コロアーム回動軸
４  コロアーム
５  カム軸
６  カム
７  サイドガイド
８  連結桿
９  操作レバー
１０  レバー回動軸
１１  固定板
１２  連結軸
１３  揃え部材回動軸
１４  カム受け
１５  給紙ローラ
１６  補助給紙ローラ
１７  当接板
１８  捌き板
１９  搬送ガイド
２０  コロ
２１  給紙板
【図１】
2006008341.tif 000003
【図２】
2006008341.tif 000004